【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
撮像ゾーン内の被験体から磁気共鳴データを収集するための磁気共鳴撮像システムであって、当該磁気共鳴撮像システムは：
・機械実行可能命令およびパルス・シーケンス・データを記憶するためのメモリであって、前記パルス・シーケンス・データは、n点ディクソン磁気共鳴撮像法を使って磁気共鳴データを収集するためのコマンドを含み、nは2以上の整数である、メモリと；
当該磁気共鳴撮像システムを制御するプロセッサとを有しており、前記命令の実行は、前記プロセッサに、
・磁気共鳴データを収集するよう前記パルス・シーケンス・データをもって当該磁気共鳴撮像システムを制御する段階と；
・n点ディクソン磁気共鳴撮像法に従って前記磁気共鳴データを使って二つの位相候補マップを構築する段階であって、前記二つの位相候補マップのそれぞれは画像空間にあり、前記二つの位相候補マップのそれぞれはボクセルの集合を含み、各ボクセルは位相マップ値をもつ、段階と；
・オブジェクト識別アルゴリズムを使って前記ボクセルの集合におけるオブジェクト・ボクセルの集合を識別する段階と；
・境界識別アルゴリズムを使って前記オブジェクト・ボクセルの集合内で境界ボクセルの集合および内部ボクセルを識別する段階と；
・前記メモリにおいて、前記ボクセルの集合を有する選別位相候補マップを生成する段階と；
・前記二つの位相候補マップから、前記選別位相マップにおける前記境界ボクセルの集合の少なくとも一部について、選別位相マップ値を選択する段階であって、該位相マップ値は、前記二つの位相候補マップのそれぞれにおける前記境界ボクセルの集合の各ボクセルについての位相候補マップ値を比較して、最低の脂肪対水比を示す候補位相マップ値を選択することによって選ばれる、段階と；
・位相候補選択アルゴリズムに従って前記オブジェクト・ボクセルの位相マップ値を計算する段階であって、該候補選択アルゴリズムのための入力は、前記二つの位相候補マップと、前記選別位相マップにおける前記境界ボクセルの集合の前記少なくとも一部についての前記選別位相マップ値とを含む、段階とを実行させる、
磁気共鳴撮像システム。
【請求項２】
前記オブジェクト識別アルゴリズムが前記ボクセルの集合のボクセルをオブジェクト・ボクセルとして識別するのは、そのボクセルが前記二つの位相候補マップにおけるノイズの標準偏差のx倍より大きい絶対値をもち、n個の入力データセットにおける最大振幅の少なくともy倍の振幅をもつときであり、xは第一の所定の値であり、yは1以下である第二の所定の値である、請求項１記載の磁気共鳴撮像システム。
【請求項３】
xは：3から5の間、3.5から4.5の間、2から4の間、4から6の間のいずれかであり、yは0.06から0.08の間、0.05から0.07の間、0.07から0.09の間、1/14から1/16の間、1/13から1/15の間、1/15から1/17の間のいずれかである、請求項２記載の磁気共鳴撮像システム。
【請求項４】
前記ボクセルの集合は縁をもち、前記境界識別アルゴリズムは、前記プロセッサに、前記背景ボクセルの集合を介して前記縁に経路で接続されているオブジェクト・ボクセルから前記境界ボクセルを識別させる、請求項１記載の磁気共鳴撮像システム。
【請求項５】
前記境界識別アルゴリズムは、前記プロセッサに、前記背景ボクセルの集合から選ばれた少なくとも一つの背景ボクセルに隣接する前記オブジェクト・ボクセルの集合から選ばれたオブジェクト・ボクセルを識別することによって、前記境界ボクセルの集合を識別させる、請求項１記載の磁気共鳴撮像システム。
【請求項６】
前記位相候補選択アルゴリズムは、前記プロセッサに、前記オブジェクト・ボクセルの前記位相マップ値を計算することを：
・前記境界ボクセルの集合の各ボクセルについて初期に選ばれた位相マップ値を使って前記オブジェクト・ボクセルの位相マップ値を補間し；
・前記オブジェクト・ボクセルの位相マップ値を前記二つの位相候補マップを用いて補正することによって逐次反復式アルゴリズムに従って実行させる、
請求項１記載の磁気共鳴撮像システム。
【請求項７】
前記逐次反復式アルゴリズムは：
・前記選別位相候補マップにおける位相マップ値に最も近い前記二つの位相候補マップからの位相マップ値を選ぶことによって、前記内部ボクセルの集合の各ボクセルについての暫定位相マップ値を選択し；
・各オブジェクト・ボクセルについての位相マップ値を前記暫定位相マップ値で置き換え；
・空間的平滑化フィルタを使って前記オブジェクト・ボクセルの位相マップ値を平滑化し；
・前記オブジェクト・ボクセルの集合の各ボクセルについての位相マップ値が所定の基準に収束するまで、該逐次反復式アルゴリズムを繰り返すことを含む、
請求項６記載の磁気共鳴撮像システム。
【請求項８】
前記オブジェクト・ボクセルの位相マップ値は前記空間的平滑化フィルタを使って補間される、請求項７記載の磁気共鳴撮像システム。
【請求項９】
前記逐次反復式アルゴリズムは：
・前記選別位相候補マップにおける局所ボクセルの値に最も近い前記二つの位相候補マップからの位相マップ値を選ぶことによって、局所ボクセルについての選別位相マップ値を選択する段階であって、前記局所ボクセルは、前記内部ボクセルの集合から選ばれ、前記境界ボクセルの集合から所定の距離以内である、段階を実行し；
・前記局所ボクセルを前記内部ボクセルの集合から前記境界ボクセルの集合に移し；
・前記境界ボクセルの集合の各ボクセルについての選別位相マップ値を使って前記オブジェクト・ボクセルの集合内の内部ボクセルの値を補間し；
・前記内部ボクセルの集合全部が前記境界ボクセルの集合の要素になるまで該逐次反復式アルゴリズムを繰り返すことを含む、
請求項６記載の磁気共鳴撮像システム。
【請求項１０】
前記メモリはさらに事前の位相マップを有しており、前記位相候補選択アルゴリズムは前記プロセッサに、最小化アルゴリズムを解くことによってオブジェクト・ボクセルの位相マップ値を計算させ、前記最小化アルゴリズムは、前記境界ボクセルの位相マップ値の、前記事前の位相マップにおける対応するボクセルからの逸脱を測る第一のペナルティー項を有し、前記最小化アルゴリズムは、前記オブジェクト・ボクセルの位相マップ値の空間変動を測る第二のペナルティー項を有する、請求項６記載の磁気共鳴撮像システム。
【請求項１１】
前記位相候補選択アルゴリズムは、前記プロセッサに、TRWSアルゴリズムに従って前記内部ボクセルの位相マップ値を計算させる、請求項６記載の磁気共鳴撮像システム。
【請求項１２】
前記機械実行可能命令は、前記プロセッサにさらに、前記磁気共鳴データおよび前記選別位相マップを用いて磁気共鳴画像を再構成させる、請求項１記載の磁気共鳴撮像システム。
【請求項１３】
撮像ゾーン内の被験体から磁気共鳴データを収集するために磁気共鳴撮像システムを制御するプロセッサによる実行のための機械実行可能命令を有するコンピュータ・プログラムであって、前記磁気共鳴撮像システムは、パルス・シーケンス・データを記憶するためのメモリを有し、前記パルス・シーケンス・データは、n点ディクソン磁気共鳴撮像法を使って磁気共鳴データを収集するためのコマンドを含み、nは2以上であり、前記命令の実行は、前記プロセッサに：
・磁気共鳴データを収集するよう前記パルス・シーケンス・データをもって前記磁気共鳴撮像システムを制御する段階と；
・n点ディクソン磁気共鳴撮像法に従って前記磁気共鳴データを使って二つの位相候補マップを構築する段階であって、前記二つの位相候補マップのそれぞれは画像空間にあり、前記二つの位相候補マップのそれぞれはボクセルの集合を含み、各ボクセルは位相マップ値をもつ、段階と；
・オブジェクト識別アルゴリズムを使って前記ボクセルの集合においてオブジェクト・ボクセルの集合を識別する段階と；
・境界識別アルゴリズムを使って前記オブジェクト・ボクセルの集合内で境界ボクセルの集合および内部ボクセルを識別する段階と；
・選別位相候補マップを前記メモリにおいて生成する段階であって、前記選別位相候補マップは前記ボクセルの集合を含む、段階と；
・前記選別位相マップにおける前記境界ボクセルの集合の少なくとも一部についての選別位相マップ値を、前記二つの位相候補マップから選択する段階であって、該位相マップ値は、前記二つの位相候補マップのそれぞれにおける前記境界ボクセルの集合の各ボクセルについての候補位相マップ値を比較することによって、最低の脂肪対水比を示す候補位相マップ値を選択することによって、選ばれる、段階と；
・位相候補選択アルゴリズムに従って前記オブジェクト・ボクセルの位相マップ値を計算する段階であって、前記位相候補選択アルゴリズムのための入力は、前記二つの位相候補マップと、前記選別位相マップにおける前記境界ボクセルの集合の前記少なくとも一部についての前記選別位相マップ値とを含む、段階とを実行させる、
コンピュータ・プログラム。
【請求項１４】
撮像ゾーン内の被験体から磁気共鳴データを収集するよう磁気共鳴撮像システムを動作させる方法であって、当該方法は：
・磁気共鳴データを収集するようパルス・シーケンス・データをもって前記磁気共鳴撮像システムを制御する段階であって、前記パルス・シーケンス・データは、n点ディクソン磁気共鳴撮像法を使って磁気共鳴データを収集するためのコマンドを含み、nは2以上である、段階と；
・n点ディクソン磁気共鳴撮像法に従って前記磁気共鳴データを使って二つの位相候補マップを構築する段階であって、前記二つの位相候補マップのそれぞれは画像空間にあり、前記二つの位相候補マップのそれぞれはボクセルの集合を含み、各ボクセルは位相マップ値をもつ、段階と；
・オブジェクト識別アルゴリズムを使って前記ボクセルの集合においてオブジェクト・ボクセルの集合を識別する段階と；
・境界識別アルゴリズムを使って前記オブジェクト・ボクセルの集合内で境界ボクセルの集合および内部ボクセルの集合を識別する段階と；
・前記ボクセルの集合を含む選別位相候補マップを生成する段階と；
・前記選別位相マップにおける前記境界ボクセルの集合の少なくとも一部についての選別位相マップ値を、前記二つの位相候補マップから選択する段階であって、該位相マップ値は、前記二つの位相候補マップのそれぞれにおける前記境界ボクセルの集合の各ボクセルについての候補位相マップ値を比較し、最低の脂肪対水比を示す候補位相マップ値を選択することによって、選ばれる、段階と；
・位相候補選択アルゴリズムに従って前記オブジェクト・ボクセルの位相マップ値を計算する段階であって、前記位相候補選択アルゴリズムのための入力は、前記二つの位相候補マップと、前記選別位相マップにおける前記境界ボクセルの集合の前記少なくとも一部についての前記選別位相マップ値とを含む、段階とを含む、
方法。